(57)【要約】【課題】本発明は、携帯に便利であり、安全であり、信頼性があり、快適実用である美点を有する電気湯たんぽを提供する。【解決手段】電気湯たんぽであって、密封袋体、加熱ユニット及び電源接続ユニットを備え、密封袋体内部の密封チャンバーに熱量を伝達するための液体媒体が填充され、液体媒体が所定温度での膨張または気化の総体積は液体媒体が常温下での正常体積に対応し、加熱ユニットは密封チャンバー内に設置されて液体媒体に浸漬され、電源接続ユニットは密封袋体に密封接続され、電源接続ユニットの一部は密封袋体外部に露出し、他の一部は密封袋体の密封チャンバー内に密封され、電源接続ユニットは加熱ユニットに電気的に接続される。本発明は採暖装置を更に提供する。採暖装置であって、上述した電気湯たんぽ及び充電フレームを備え、前記充電フレームはベース、接続台、保護装置、充電臂及び導線を含む。【選択図】図１
2015188634.tif 000002
【特許請求の範囲】
【請求項１】
電気湯たんぽであって、
密封袋体、加熱ユニット及び電源接続ユニットを備え、密封袋体内部の密封チャンバーに熱量を伝達するための液体媒体が填充され、液体媒体が所定温度での膨張または気化の総体積は液体媒体が常温下での正常体積に対応し、加熱ユニットは密封チャンバー内に設置されて液体媒体に浸漬され、電源接続ユニットは密封袋体に密封接続され、電源接続ユニットの一部は密封袋体外部に露出し、他の一部は密封袋体の密封チャンバー内に密封され、電源接続ユニットは加熱ユニットに電気的に接続されることを特徴とする電気湯たんぽ。
【請求項２】
前記加熱ユニットは、発熱体、外部ケーシング及び保護ユニットを備え、外部ケーシングは上部ケーシング及び下部ケーシングから構成され、外部ケーシングに刳り貫き構造が設けられ、発熱体は外部ケーシング内に設置され、発熱体は外部ケーシングの刳り貫き構造を介して液体媒体に接触し、外部ケーシングに保護ユニット取付部を更に設け、保護ユニット取付部は発熱体の一側に密接されて設置され、保護ユニットは保護ユニット取付部内に取り付けられて発熱体に直列接続され、保護ユニットは過熱停電保護を提供し、保護ユニット及び発熱体はそれぞれ導線を介して電源接続ユニットに電気的に接続されることを特徴とする請求項１に記載の電気湯たんぽ。
【請求項３】
前記保護ユニットはヒューズであることを特徴とする請求項２に記載の電気湯たんぽ。
【請求項４】
前記保護ユニットの周囲はシリカゲルにより密封されることを特徴とする請求項２に記載の電気湯たんぽ。
【請求項５】
前記加熱ユニットはピンチコックを更に含み、ピンチコックは保護ユニットと発熱体とを挟んで固定し、ピンチコックは保護ユニットと発熱体との間の密接及び充分な熱伝導を確保することを特徴とする請求項２に記載の電気湯たんぽ。
【請求項６】
前記ピンチコックは熱伝導材料により製造されることを特徴とする請求項５に記載の電気湯たんぽ。
【請求項７】
前記発熱体は発熱管であることを特徴とする請求項２に記載の電気湯たんぽ。
【請求項８】
前記密封袋体は内層袋体及び外層袋体を含み、内層袋体は密封袋体の最内層に設けられ、内層袋体は柔性の水密性材料により製造され、内層袋体が密封して形成した密封チャンバーは液体媒体を収納し、外層袋体は密封袋体の最外層に設けられ、外層袋体は柔性の材料により製造され、外層袋体は内層袋体に密接し、外層袋体は人体に接触することを特徴とする請求項１に記載の電気湯たんぽ。
【請求項９】
電源接続ユニットは取付カバー、温度制御ユニット及びソケットを備え、取付カバーは外置部及び内蔵部を含み、取付カバーは密封袋体に密封接続され、取付カバーの外置部は密封袋体の外部に露出し、取付カバーの内蔵部は密封袋体の密封チャンバー内に密封され、温度制御ユニットは取付カバーの内蔵部内に設置されて加熱ユニットに直列接続され、温度制御ユニットは電気湯たんぽ内部温度に応じて回路の開閉を制御し、ソケットは取付カバーの外置部に装着されて密封袋体外部に露出し、ソケットは温度制御ユニット及び加熱ユニットに電気的に接続され、完全な回路を構成することを特徴とする請求項１に記載の電気湯たんぽ。
【請求項１０】
前記温度制御ユニットは温度コントローラであることを特徴とする請求９に記載の電気湯たんぽ。
【請求項１１】
前記電源接続ユニットは指示灯を更に含み、指示灯は取付カバーの外置部に取り付けられて密封袋体外部に露出し、指示灯は加熱ユニットに並列接続されることを特徴とする請求項９に記載の電気湯たんぽ。
【請求項１２】
前記電源接続ユニットは蓋を更に含み、蓋はソケットを覆って設置されて電源接続ユニットに着脱可能に接続され、ソケットの露出と密封を制御することを特徴とする請求項９に記載の電気湯たんぽ。
【請求項１３】
採暖装置であって、
請求項１に記載の電気湯たんぽ及び充電フレームを備え、前記充電フレームはベース、接続台、保護装置、充電臂及び導線を含み、ベースは電気湯たんぽをその上に支持し、接続台はベースに固定され、接続台は中空構造であり、保護装置は接続台内部に設置され、充電臂は中空構造であり、ピン連結端及び接続端を有し、充電臂のピン連結端は接続台の上端にピン連結され、充電臂の接続端に電源接続ユニットと配合する差し込み口が設けられ、差し込み口は接続臂内部に設置される電気回路を介して保護装置に電気的に接続され、導線の一端は保護装置に電気的に接続され、導線の他端にプラグが設けられることを特徴とする採暖装置。
【請求項１４】
前記保護装置はマイクロスイッチを備え、前記マイクロスイッチは導線と差し込み口との間に接続され、導線と差し込み口との回路の開閉を制御し、前記マイクロスイッチは定接点及び動接点を含み、定接点は充電フレームの接続台内部に固定されて導線に電気的に接続され、動接点は充電臂に固定されて差し込み口に電気的に接続され、充電臂は自身ピン連結端を回って回転し運動して、動接点を運動させ、定接点と動接点の接続と遮断を制御することを特徴とする請求項１３に記載の採暖装置。
【請求項１５】
前記充電フレームは指示灯をさらに備え、前記指示灯は充電臂に取り付けられ、指示灯はソケット及び差し込み口を介して加熱ユニットに並列接続されることを特徴とする請求項１３に記載の採暖装置。
【発明の詳細な説明】
【技術分野】
【０００１】
本発明は採暖装置分野に関し、具体的には、電気湯たんぽ及びこの電気湯たんぽを用いる採暖装置に関する。
【背景技術】
【０００２】
寒い冬に、多くの人は、例えば、電気採暖器などの採暖装置を用いて暖を取る。しかし、このような採暖装置は給電ユニットを要するため、このような電気採暖器は比較的大きな体積を有し、明らかに、ユーザの携帯に不便であり、電気採暖器の実用性を大幅に低減させた。
【０００３】
また、携帯性が強い湯たんぽが知られている。湯たんぽは水密性材料により密封した袋体に製造され、袋体内腔は湯を収納する。使用時に、ユーザは手動で予め加熱した湯を袋体内腔に入れ、湯で熱量を袋体に伝達し、そして袋体を介して熱量を人体に伝達し、採暖効果を達する。しかし、このような湯たんぽの内の湯は長時間にわたって熱量を提供することができなく、ある一定の時間が経過すると、湯たんぽ内水の熱量は徐々になくなり、採暖効果は迅速になくなる。この時、ユーザは手動で袋体内腔の水を注ぎ出し、そして再び湯を注ぎ込む。したがって、ユーザは、湯たんぽの採暖効果を維持するために、湯を頻繁に交換する必要があり、使用に極めて不便である。なお、予め加熱した湯を袋体内腔に注ぎ込む時に、手動操作は湯を倒ししやく、人体が湯に直接接触するようになり、やけどなどの事故を起こしやすい。また、袋体の材質は柔軟ではなく、人体との接触に不利であり、快適感に影響する。
【０００４】
今、市場では、通電加熱の湯たんぽが現れた。湯たんぽの内に発熱管が設置され、相応の充電器が設けられる。しかしながら、発熱管は単純に発熱機能を有し、保護機能を有しなく、加熱温度が高すぎると、やけどなどの事故を起こし、さらに、空だきになって、火事が発生し、その結果は想像できない。また、湯たんぽと配合する充電器は保護機能を有しなく、発熱管の温度が高すぎる場合に、充電器は即時に停電する必要があり、通電し続けると、湯たんぽの内の液体は熱くなり、膨張が大きすぎると、袋体が破裂する。袋体が破裂すると、袋内の液体が飛び散り、やけどなどの事故を起こしやすい。
【０００５】
明らかに、従来の技術にはある程度の欠陥が存在する。
【発明の概要】
【発明が解決しようとする課題】
【０００６】
本発明が解決しようとする技術問題は、空だき防止及び防爆機能を有するとともに、携帯に便利であり、快適であり、実用性に優れるなどの美点を有する、電気湯たんぽ及びこの電気湯たんぽを含む採暖装置を提供することにある。
【課題を解決するための手段】
【０００７】
上述した目的を達成するために、本発明は以下の技術的手段を用いる。
【０００８】
電気湯たんぽであって、密封袋体、加熱ユニット及び電源接続ユニットを備え、密封袋体内部の密封チャンバーに熱量を伝達するための液体媒体が填充され、液体媒体が所定温度での膨張または気化の総体積は液体媒体が常温下での正常体積に対応し、加熱ユニットは密封チャンバー内に設置されて液体媒体に浸漬され、電源接続ユニットは密封袋体に密封接続され、電源接続ユニットの一部は密封袋体外部に露出し、他の一部は密封袋体の密封チャンバー内に密封され、電源接続ユニットは加熱ユニットに電気的に接続される。
【０００９】
さらに、前記加熱ユニットは、発熱体、外部ケーシング及び保護ユニットを備え、外部ケーシングは上部ケーシング及び下部ケーシングから構成され、外部ケーシングに刳り貫き構造が設けられ、発熱体は外部ケーシング内に設置され、発熱体は外部ケーシングの刳り貫き構造を介して液体媒体に接触し、外部ケーシングに保護ユニット取付部を更に設け、保護ユニット取付部は発熱体の一側に密接されて設置され、保護ユニットは保護ユニット取付部内に取り付けられて発熱体に直列接続され、保護ユニットは過熱停電保護を提供し、保護ユニット及び発熱体はそれぞれ導線を介して電源接続ユニットに電気的に接続される。
【００１０】
さらに、前記保護ユニットはヒューズである。
【００１１】
さらに、保護ユニットの周囲はシリカゲルにより密封される。
【００１２】
さらに、前記加熱ユニットはピンチコックを更に含み、ピンチコックは保護ユニットと発熱体とを挟んで固定し、ピンチコックは保護ユニットと発熱体との間の密接及び充分な熱伝導を確保する。
【００１３】
さらに、前記ピンチコックは熱伝導材料により製造される。
【００１４】
さらに、前記発熱体は発熱管である。
【００１５】
さらに、前記密封袋体は内層袋体及び外層袋体を含み、内層袋体は密封袋体の最内層に設けられ、内層袋体は柔性の水密性材料により製造され、内層袋体が密封して形成した密封チャンバーは液体媒体を収納し、外層袋体は密封袋体の最外層に設けられ、外層袋体は柔性の材料により製造され、外層袋体は内層袋体に密接し、外層袋体は人体に接触する。
【００１６】
さらに、電源接続ユニットは取付カバー、温度制御ユニット及びソケットを備え、取付カバーは外置部及び内蔵部を含み、取付カバーは密封袋体に密封接続され、取付カバーの外置部は密封袋体の外部に露出し、取付カバーの内蔵部は密封袋体の密封チャンバー内に密封され、温度制御ユニットは取付カバーの内蔵部内に設置されて加熱ユニットに直列接続され、温度制御ユニットは電気湯たんぽ内部温度に応じて回路の開閉を制御し、ソケットは取付カバーの外置部に装着されて密封袋体外部に露出し、ソケットは温度制御ユニット及び加熱ユニットに電気的に接続され、完全な回路を構成する。
【００１７】
さらに、前記温度制御ユニットは温度コントローラである。
【００１８】
さらに、前記電源接続ユニットは指示灯を更に含み、指示灯は取付カバーの外置部に取り付けられて密封袋体外部に露出し、指示灯は加熱ユニットに並列接続される。
【００１９】
さらに、前記電源接続ユニットは蓋を更に含み、蓋はソケットを覆って設置されて電源接続ユニットに着脱可能に接続され、ソケットの露出と密封を制御する。
【００２０】
採暖装置であって、上述した電気湯たんぽ及び充電フレームを備え、前記充電フレームはベース、接続台、保護装置、充電臂及び導線を含み、ベースは電気湯たんぽをその上に支持し、接続台はベースに固定され、接続台は中空構造であり、保護装置は接続台内部に設置され、充電臂は中空構造であり、ピン連結端及び接続端を有し、充電臂のピン連結端は接続台の上端にピン連結され、充電臂の接続端に電源接続ユニットと配合する差し込み口が設けられ、差し込み口は接続臂内部に設置される電気回路を介して保護装置に電気的に接続され、導線の一端は保護装置に電気的に接続され、導線の他端にプラグが設けられる。
【００２１】
さらに、前記保護装置はマイクロスイッチを備え、前記マイクロスイッチは導線と差し込み口との間に接続され、導線と差し込み口との回路の開閉を制御し、前記マイクロスイッチは定接点及び動接点を含み、定接点は充電フレームの接続台内部に固定されて導線に電気的に接続され、動接点は充電臂に固定されて差し込み口に電気的に接続され、充電臂は自身ピン連結端を回って回転し運動し、動接点を運動させ、定接点と動接点の接続と遮断を制御する。
【００２２】
さらに、前記充電フレームは指示灯をさらに備え、前記指示灯は充電臂に取り付けられ、指示灯はソケット及び差し込み口を介して加熱ユニットに並列接続される。
【発明の効果】
【００２３】
本発明が提供した電気湯たんぽ及びこの電気湯たんぽを含む採暖装置は以下の美点を有する。
【００２４】
保護ユニットを備えて過熱停電保護を行い、温度制御ユニットにより回路開閉を制御し、保護装置により充電中に密封袋体が膨張して破裂することを防止する、という３重保護を有し、空だき及び爆破の恐れを完全に回避し、安全性が強い。
【００２５】
体積は小さく、構造は簡単であり、携帯に便利である。
【００２６】
電気湯たんぽの材質は柔軟であり、人体との接触に有利であり、質感は快適である。
【図面の簡単な説明】
【００２７】
本発明の実施例または従来の技術における技術的手段をさらに明確に説明するために、以下、実施例または従来の技術に対する記述に用いられる図面を簡単に説明し、明らかに、以下に記載の図面はただ本発明のある実施例であり、当業者にとって、創造性労働を経ることなく、これらの図面に基づいてその他の図面を取得することができる。
【００２８】
【図１】本発明の実施例が提供した電気湯たんぽの構造を示す図である。
【図２】密封袋体の構造を示す図である。
【図３】加熱ユニットの構造を示す図である。
【図４】電源接続ユニットの構造を示す図である。
【図５】他の構造の電源接続ユニットを示す図である。
【図６】本発明の実施例が提供した採暖装置は正常充電状態下での構造を示す図である。
【図７】本発明の実施例が提供した採暖装置は保護装置動作状態下での構造を示す図である。
【発明を実施するための形態】
【００２９】
本発明の実施例の目的、技術的手段及び美点をさらに明確になるように、以下、本発明の実施例及び図面を参照しながら、本発明の実施例における技術的手段を詳細に説明する。説明すべきことは、記述した実施例はただ本発明の一部実施例であるが、すべての実施例ではない。本発明における実施例に基づき、当業者は創造性労働を経ずに取得したすべての他の実施例はいずれも本発明の保護の範囲に含まれる。
【００３０】
＜実施例１＞
図１を参照する。電気湯たんぽは、密封袋体１、加熱ユニット２及び電源接続ユニット３を備える。密封袋体１内部の密封チャンバー６に熱量を伝達するための液体媒体が填充され、液体媒体が所定温度での膨張または気化の総体積は液体媒体が常温下での正常体積に対応し、加熱ユニット２は密封チャンバー６内に設置されて液体媒体に浸漬され、電源接続ユニット３は密封袋体１に密封接続され、電源接続ユニット３の一部は密封袋体１外部に露出し、他の一部は密封袋体１の密封チャンバー６内に密封され、電源接続ユニット３は加熱ユニット２に電気的に接続される。
【００３１】
前記液体媒体は純水でよく、改良として、優れた蓄熱機能を有する流体または溶液でもよく、同時に、液体媒体は人体に対して無害、無毒、非腐食性となる安全液体ではなければならない。説明すべきことは、蓄熱機能では、異なる液体媒体にはある程度の差異が存在するが、どの液体媒体を用いても、本発明の趣旨から逸脱しない場合に、いずれも本発明の保護範囲に含まれる。
【００３２】
液体媒体は特定温度に加熱されると、膨張または気化現象を発生したので、密封袋体１は膨張する。一般に、液体媒体は約７０℃に加熱される時に、密封袋体１は常温状態に対して約１〜２ｃｍ膨張する。
【００３３】
図２を参照されない。密封袋体１は、密封チャンバー６を提供して液体媒体を密封して収納し、かつ、人体と直接接触し、質感の柔軟と快適を確保する。
【００３４】
さらに、前記密封袋体１は内層袋体５及び外層袋体４を含み、内層袋体５は密封袋体１の最内層に設けられ、内層袋体５は柔性の水密性材料により製造され、内層袋体５が密封して形成した密封チャンバー６は液体媒体を収納し、外層袋体４は密封袋体１の最外層に設けられ、外層袋体４は柔性の材料により製造され、外層袋体４は内層袋体５に密接し、外層袋体４は人体に接触する。
【００３５】
好ましくは、本実施例では、前記内層袋体５はＰＶＣ膜により製造される。ＰＶＣ膜は良好な水密性を有し、密封を保証し、液体媒体の漏出を防止する。それとともに、ＰＶＣ膜自身は良好な柔軟性を有し、液体媒体の流動により変形することができ、ユーザがそれに対してタッチ、押出することに有利である。なお、ＰＶＣ膜は充分な靱性を有し、安全で、実用であり、工業応用は幅広く、製造コストは低い。従来の技術におけるコロイド袋体に比較すると、ＰＶＣ膜はさらに柔軟、快適である。
【００３６】
好ましくは、前記外層袋体４はテトロンと海綿により複合してなり、プラッシュ、柔軟な表布等の生地に編み、人体に直接接触する。単純にＰＶＣ膜を用いると、表布は粗く、生地により編まれる外層袋体４は効果的に質感を改善し、電気湯たんぽは使用される時にさらに快適になる。
【００３７】
加熱ユニット２は液体媒体に対して加熱する、電気湯たんぽの重要な部品である。加熱ユニット２は電気エネルギーで発熱し、電気湯たんぽにとって、その安全性は極めて重要である。
【００３８】
図３を参照されたい。具体的に、前記加熱ユニット２は、発熱体１０、外部ケーシング７及び保護ユニット１２を備える。
【００３９】
外部ケーシング７は上部ケーシング８及び下部ケーシング９から構成され、外部ケーシング７に刳り貫き構造が設けられ、発熱体１０は外部ケーシング７内に設置され、発熱体１０は外部ケーシング７の刳り貫き構造を介して液体媒体に接触する。仮に単純に発熱体１０を用いて液体媒体を加熱すると、加熱機能を満たすことができるが、発熱体１０は加熱中に密封袋体１に直接接触する。この場合に、発熱体１０の温度は高すぎると、密封袋体を熔融しやすく、密封袋体１が破裂する。または、ユーザは電気湯たんぽを使用するときに、密封袋体１を押出し、発熱体１０が密封袋体１を介して人体に接触し、人体に対してやけどをする。一方、外部ケーシング７は保護作用を果たし、他方、密封袋体１または人体が発熱体１０との直接接触を防止し、事故の発生を回避する。
【００４０】
外部ケーシング７に保護ユニット取付部１１を更に設け、保護ユニット取付部１１は発熱体１０の一側に密接して設置され、保護ユニット１２は保護ユニット取付部１１内に取り付けられて発熱体１０に直列接続され、保護ユニット１２は過熱停電保護を提供し、保護ユニット１２及び発熱体１０はそれぞれ導線を介して電源接続ユニット３に電気的に接続される。発熱体１０は過熱すると、保護ユニット１２は作用を果たして、回路を遮断し、発熱体１０に対する加熱を停止する。発熱体が過熱する状況は、常に加熱時に、発熱ユニットが液体媒体に充分に浸漬しない状況に見られ、発熱体１０の発熱量は液体媒体に充分に伝達しなく、発熱体１０は発熱し続けて空だきする。または、常に、液体媒体が加熱されすぎ、発熱体１０が発熱温度の持続上昇を停止することができない。発熱体１０の過熱は非常に危険なことであり、深刻な場合に、密封袋体１が破裂し、火事が発生する恐れはある。本発明は保護ユニット１２を介して加熱ユニット２を保護し、一旦発熱体１０の温度は所定値に達すると、保護ユニット１２は迅速に動作し、回路を遮断し、根本的に空だきの恐れを回避し、極めて高い安全性を有する。同時に、保護ユニット１２と発熱体１０とが互に分離する空間的配置により、保護ユニット１２の温度上昇速度が発熱体１０の温度上昇速度より遅くなり、これは保護ユニット１２動作の感度にとって不利である。保護ユニット１２は発熱体１０に密接するので、保護ユニット１２の温度は発熱体１０の温度に接近するようになり、このようにして、保護ユニット１２の動作の感度をさらに向上させる。好ましくのは、本実施例では、前記保護ユニット１２はヒューズである。ヒューズは体積が細小であり、コストが低い美点を有する。なお、ヒューズは所定の温度に達すると、内部は直接溶断し、回路を永久に遮断し、安全性が極めて高い。改良として、保護ユニット１２の周囲はシリカゲルにより密封され、このようにして、液体媒体が保護ユニット１２に浸入することを防止する。
【００４１】
改良として、前記加熱ユニット２はピンチコック１３をさらに含み、ピンチコック１３は保護ユニット１２と発熱体１０とを挟んで固定し、ピンチコック１３は保護ユニット１２と発熱体１０との間の密接及び充分な熱伝導を確保する。上述のように、保護ユニット１２は発熱体１０に密接することは、保護ユニット１２の温度が発熱体１０の温度に接近することに有利であり、これで、保護ユニット１２の動作の感度を向上させ、しかし、実際の動作では、発熱体１０の発熱膨張により、保護ユニット１２と発熱体１０との密接を保証することはできない。ピンチコック１３は保護ユニット１２と発熱体１０とを挟んで固定し、発熱体１０が保護ユニット１２から脱離することを効果的に防止する。好ましくのは、前記ピンチコック１３は熱伝導材料により製造され、発熱体１０と保護ユニット１２とを挟んで、発熱体１０と保護ユニット１２との熱伝導に役に立ち、保護ユニット１２の温度が発熱体１０の温度にさらに接近し、保護ユニット１２の感度をさらに向上させる。繰り返した試験によると、発熱体１０に密接して設置され、かつ、ピンチコック１３で挟んで固定した保護ユニット１２は、その動作の感度が極めて高く、発熱体１０温度が所定温度に達した後１５秒内に停電保護動作を行うことができる。
【００４２】
図４及び図５を参照されたい。電源接続ユニット３は外部電流を加熱ユニット２に流入させることに用いられ、加熱ユニット２を発熱させて液体媒体に対する加熱機能を実現する。
【００４３】
図４を参照されない。具体的に、電源接続ユニット３は、取付カバー１４、温度制御ユニット１７及びソケット１８を備える。
【００４４】
取付カバー１４は外置部１５及び内蔵部１６を備え、取付カバー１４は密封袋体１に密封接続され、取付カバー１４の外置部１５は密封袋体１の外部に露出し、取付カバー１４の内蔵部１６は密封袋体１の密封チャンバー６内に密封され、温度制御ユニット１７は取付カバー１４の内蔵部１６内に設置されて加熱ユニット２に直列接続され、温度制御ユニット１７は電気湯たんぽ内部温度に応じて回路の開閉を制御し、ソケット１８は取付カバー１４の外置部１５に装着されて密封袋体１外部に露出し、ソケット１８は温度制御ユニット１７及び加熱ユニット２に電気的に接続され、完全な回路を構成する。
【００４５】
図５を参照されたい。改良として、前記電源接続ユニット３は指示灯１９をさらに含み、指示灯１９は取付カバー１４の外置部１５に取り付けられて密封袋体１の外部に露出し、指示灯１９は加熱ユニット２に並列接続される。指示灯１９はユーザに電気湯たんぽ動作状態の指示を提供し、指示作用を果たす。電気湯たんぽは充電加熱状態にある時に、回路は接続され、指示灯１９は点灯し、電気湯たんぽは充電加熱を完成すると、または過熱して停電すると、回路を遮断し、指示灯１９は消灯する。
【００４６】
温度制御ユニット１７は電気湯たんぽのまた１つの安全部品であり、液体媒体を所定温度に加熱する時に、温度制御ユニット１７は熱により動作し、回路自動に遮断する。温度制御ユニット１７は電気湯たんぽに対して２つの作用を有する。その一は、指示灯１９の点灯及び消灯を制御し、電気湯たんぽの状態を指示する。その二は、液体媒体温度が高すぎることを防止する。保護ユニット１２と異なるのは、温度制御ユニット１７は回路の開閉を複数回に制御し、保護ユニット１２は温度制御ユニット１７がだめになる場合に採用する極端保護措置であるため、温度制御ユニット１７は回路を永久に遮断するヒューズを用いることができない。好ましくのは、前記温度制御ユニット１７は温度コントローラである。
【００４７】
改良として、前記電源接続ユニット３は蓋をさらに含み、蓋はソケット１８を覆って設置されて電源接続ユニット３に着脱可能に接続され、ソケット１８の露出と密封を制御し、ソケット１８に対して保護作用を果たす。
【００４８】
＜実施例２＞
図６を参照されたい。採暖装置は、上述した電気湯たんぽ及び充電フレーム２０を備え、この充電フレーム２０は電流を電気湯たんぽに流入させ、電気湯たんぽに対して充電して加熱する。
【００４９】
具体的に、前記充電フレーム２０はベース２１、接続台２２、保護装置２７、充電臂２３及び導線２５を含み、ベース２１は電気湯たんぽをその上に支持し、接続台２２はベース２１に固定され、接続台２２は中空構造であり、保護装置２７は接続台２２内部に設置され、充電臂２３は中空構造であり、ピン連結端及び接続端を有し、充電臂２３のピン連結端は接続台２２の上端にピン連結され、電源接続ユニット３と配合する差し込み口２４は充電臂２３の接続端に設けられ、差し込み口２４は接続臂内部に設置される電気回路を介して保護装置２７に電気的に接続され、導線２５の一端は保護装置２７に電気的に接続され、導線２５の他端にプラグ２６が設けられる。
【００５０】
そこで、電気湯たんぽは充電加熱状態にある時に、充電フレーム２０と電気湯たんぽとは互に接続され、この時、電気湯たんぽはベース２１の上に位置し、差し込み口２４はソケット１８に接続され、そしてプラグ２６を民用電力の差し込み口２４に挿入してよく、電気湯たんぽは使用状態にある時に、充電フレーム２０と電気湯たんぽとは互に分離する。
【００５１】
保護装置２７は本発明のまた１つの安全部品であり、充電加熱の状態で、電気湯たんぽに対して安全保護作用を果たす。
【００５２】
具体的に、前記保護装置２７はマイクロスイッチを備え、前記マイクロスイッチは導線２５と差し込み口２４との間に接続され、導線２５と差し込み口２４との回路の開閉を制御し、前記マイクロスイッチは定接点２８及び動接点２９を含み、定接点２８は充電フレーム２０の接続台２２内部に固定されて導線２５に電気的に接続され、動接点２９は充電臂２３に固定されて差し込み口２４に電気的に接続され、充電臂２３は自身ピン連結端を回って回転し運動し、動接点２９を運動させ、定接点２８と動接点２９との接続及び遮断を制御する。
【００５３】
図７を参照されたい。上述のように、液体媒体は特定温度に加熱された時に、膨張または気化現象を行い、密封袋体１を膨張させる。密封袋体１は所定の幅に膨張する時に、充電フレーム２０の充電臂２３は密封袋体１により支えて上げられ、自身のピン連結端を回って回転し運動する。この時、充電臂２３は動接点２９を運動させ、動接点２９と定接点２８とを分離させ、回路を遮断する。これによって、充電加熱時に、液体媒体が過熱になり膨張の幅が大すぎ、密封袋体１が破裂することを防止する。密封袋体１が破裂すると、液体媒体が飛び散り、やけど、火事などの事故を起こしやすい。保護装置２７により、事故の発生を効果的に回避でき、加熱しすぎて密封袋体１が爆発する危険を避け、防爆の安全機能を完全に実現し、ユーザの人身安全に対して有力な保障を提供する。電気安全の原則により、好ましくは、保護装置２７は民用給電の送電線に接続される。
【００５４】
改良として、前記充電フレーム２０は指示灯１９をさらに備え、前記指示灯１９は充電臂２３に取り付けられ、指示灯１９はソケット１８及び差し込み口２４を介して加熱ユニット２に並列接続される。この指示灯１９は上記の電源接続ユニット３に設置される指示灯１９の作用と一致し、原則的に、それらの１つを選択して設置してよく、または異なる地域の電気製品標準により設置するか否かを選択し、ここで、贅言しない。
【００５５】
本発明の電気湯たんぽ及びこの電気湯たんぽを含む採暖装置は、３重安全保護を有する。その一は、加熱ユニット２内に保護ユニット１２が設けられ、発熱体が空だきまたは他の過熱になる場合に、発熱体１０に密接される保護ユニット１２は迅速に回路を遮断し、過熱停電保護を行う。その二は、温度制御ユニット１７は液体媒体自身の温度に応じて回路の開閉を制御し、液体媒体過熱による爆破、飛び散りなどの事故を回避する。その三は、充電フレーム２０に設置される保護装置２７は密封袋体１が所定程度に膨張した時に、自動に回路を遮断し、充電時の密封袋体１の膨張破裂を回避する。これによって、本発明は従来の技術とは異なって、極めて高い安全性を有する。
【００５６】
なお、本発明の電気湯たんぽは体積が小さく、構造が簡単であり、携帯に便利である。充電式設計を用い、操作が簡単であり、採暖効果は長時間にわたっても有効であり、実用性が極めて強い。電気湯たんぽは柔性材料により製造され、素地が柔軟であり、人体との接触に有利であり、質感が快適である。
【００５７】
前記実施例は本発明のいくつかの実施形態を示したが、その記述はより具体と詳細であるが、本発明の範囲を限定することは意図していない。当業者にとって、本発明の要旨を逸脱しない範囲で、様々な変形及び改進を行うことができる。これらの変形及び改進は本発明の保護範囲に含まれる。したがって、本発明の保護範囲は付属した特許請求の範囲を准とする。
【符号の説明】
【００５８】
１...密封袋体
２...加熱ユニット
３...電源接続ユニット
４...外層袋体
５...内層袋体
６...密封チャンバー
７...外部ケーシング
８...上部ケーシング
９...下部ケーシング
１０...発熱体
１１...保護ユニット取付部
１２...保護ユニット
１３...ピンチコック
１４...取付カバー
１５...外置部
１６...内蔵部
１７...温度制御ユニット
１８...ソケット
１９...指示灯
２０...充電フレーム
２１...ベース
２２...接続台
２３...充電臂
２４...差し込み口
２５...導線
２６...プラグ
２７...保護装置
２８...定接点
２９...動接点
【図１】
2015188634.tif 000003
【図２】
2015188634.tif 000004
【図３】
2015188634.tif 000005
【図４】
2015188634.tif 000006
【図５】
2015188634.tif 000007
【図６】
2015188634.tif 000008
【図７】
2015188634.tif 000009